(57)【要約】【課題】遠方から観察が可能であり、且つインフレータを使用することで、即時に組立てが可能な空気膨張式の表示器、また、同一構造の表示器を連結してバリケードを構成する屋外装置品を提供する。【解決手段】内部に空気を注入することにより膨脹可能な気室を備えると共に上端が頂部で且つ下端が設置面に対して水平な辺を有して立設される三角状筒体と、該三角状筒体と同様に膨脹可能な気室を備えると共に三角状筒体の頂部の背面側に接続されて下端が設置面に対して水平な辺を有して立設される略Ｖ字状の支持筒体と、前記夫々の筒体の下端の底部に設けられたウエイトから構成され、使用する際に略三角形状の外観を呈する。【選択図】図１
2008101447.tif 000002
【特許請求の範囲】
【請求項１】
使用する際に略三角形状の外観を呈する表示器であって、内部に空気を注入することにより膨脹可能な気室を備えると共に上端が頂部で且つ下端が設置面に対して水平な辺を有して立設される三角状筒体と、該三角状筒体と同様に膨脹可能な気室を備えると共に三角状筒体の頂部の背面側に接続されて下端が設置面に対して水平な辺を有して立設される略Ｖ字状の支持筒体と、前記夫々の筒体の下端の底部に設けられたウエイトから構成されたことを特徴とする空気膨張式表示器。
【請求項２】
前記夫々の筒体は別体で形成されると共に、該夫々の筒体には同一の導入路または独立した導入路を形成してインフレータが接続されたことを特徴とする請求項１に記載の空気膨張式表示器。
【請求項３】
前記三角状筒体の胴部の空間部には網体が形成されたことを特徴とする請求項１又は請求項２に記載の空気膨張式表示器。
【請求項４】
前記三角状筒体の胴部の正面には、三角形状の基布を備えた光学的表示部が被覆されたことを特徴とする請求項１乃至請求項３に記載の空気膨張式表示器。
【請求項５】
前記光学的表示部は、蓄光材、反射材または視覚的に目立つ色彩で形成された基布と、該基布に対して取付られた電気的な発光体とで構成されたことを特徴とする請求項４に記載の空気膨張式表示器。
【請求項６】
前記夫々の構成部材を縮小状態で収納する可搬型の袋体が設けられると共に、少なくとも重量を有するインフレータが袋体に固定されていることを特徴とする請求項１乃至請求項５に記載の空気膨張式表示器。
【請求項７】
前記ウエイトは夫々の筒体の垂直方向の所定幅の表面に対して面ファスナを介して取付けられることを特徴とする請求項１乃至請求項６に記載の空気膨張式表示器。
【請求項８】
前記三角状筒体の頂部には連結部が形成されると共に、該連結部間を帯状体で連結してバリケードを構成することを特徴とする請求項１乃至請求項７に記載の空気膨張式表示器。
【請求項９】
前記インフレータとの接続口を弁体で封止可能とすると共に、夫々の筒体の少なくとも一つにはインフレータとの接続口とは異なる位置に、弁体で封止可能とした給排口が設けられたことを特徴とする請求項１乃至請求項８に記載の空気膨張式表示器。
【発明の詳細な説明】
【技術分野】
【０００１】  本発明は、接近する車両に対して、徐行や停車を呼びかける三角駐車表示器に関するものであり、より詳細には、遠方から観察が可能であり、且つインフレータを使用することで、即時に組立てが可能な空気膨張式の表示器に関するものである。また、本発明の空気膨張式の表示器は、同一構造の表示器を連結したバリケードにも係わると共に、分解して使用する場合の浮袋と同様の救命具にも係わるものである。
【背景技術】
【０００２】  従来より、一般の公道においては、故障等で車両が緊急停車する際に、接近車両に対して駐車や停車中であるといった警告を発する手段として、蛍光面を備えた三角型の駐車表示器が使用されている。（例えば、特許文献１参照）
【特許文献１】実開平０６−０７５８９８号公報
【発明が解決しようとする課題】
【０００３】  ところでこのような三角駐車表示器は、通常、車両のトランク等の所定の場所に収納し、必要に応じて組立てて使用するが、先ず、収納スペースの問題から必要最低限の大きさであるため、小型で定型であり、従って、後続車両がある程度の距離まで接近しないとわからないといった視認性の問題がある。加えて、このような三角駐車表示器は、日常では使用することがないために、緊急時に、いざ組立てを行う場合に、組み立て方法で戸惑う場合があった。
【課題を解決するための手段】
【０００４】  本発明は、上記の課題を解決するため、使用する際に略三角形状の外観を呈する表示器であって、請求項１に記載の表示器は、内部に空気を注入することにより膨脹可能な気室を備えると共に上端が頂部で且つ下端が設置面に対して水平な辺を有して立設される三角状筒体と、該三角状筒体と同様に膨脹可能な気室を備えると共に三角状筒体の頂部の背面側に接続されて下端が設置面に対して水平な辺を有して立設される略Ｖ字状の支持筒体と、前記夫々の筒体の下端の底部に設けられたウエイトから構成されることを特徴とする。
【０００５】  請求項２に記載の表示器は、前記夫々の筒体は別体で形成されると共に、該夫々の筒体には同一の導入路または独立した導入路を形成してインフレータが接続されることを特徴とする。
【０００６】  請求項３に記載の表示器は、前記三角状筒体の胴部の空間部には網体が形成されることを特徴とする。
【０００７】  請求項４または請求項５に記載の表示器は、前記三角状筒体の胴部の正面には、三角形状の基布を備えた光学的表示部が被覆され、これらの光学的表示部は、蓄光材、反射材または視覚的に目立つ色彩で形成された基布と、該基布に対して取付られた電気的な発光体とで構成されたことを特徴とする。
【０００８】  請求項６に記載の表示器は、前記夫々の構成部材を縮小状態で収納する可搬型の袋体が設けられると共に、少なくとも重量を有するインフレータが袋体に固定されることを特徴とする。また、請求項７に記載の表示器は、前記ウエイトは夫々の筒体の垂直方向の所定幅の表面に対して面ファスナを介して取付けられることを特徴とする。
【０００９】  請求項８に記載の表示器は、前記三角状筒体の頂部には連結部が形成されると共に、該連結部間を帯状体で連結してバリケードを構成することを特徴とする。
【００１０】  請求項９に記載の表示器は、前記三角状筒体の正面には電気的な発光体が設けられることを特徴とする。
【００１１】  インフレータとの接続口を弁体で封止可能とすると共に、夫々の筒体の少なくとも一つにはインフレータとの接続口とは異なる位置に、弁体で封止可能とした給排口が設けられたことを特徴とする。
【発明を実施するための最良の形態】
【００１２】  以下、図１乃至図８に基づいて本発明の実施形態を説明する。図１は本発明に係わる表示器の使用状態の正面図、図２は、本発明に係わる光学的表示部の形態を示す説明図であり、図３は、本発明に係わる表示器の上端部分の要部正面図であり、図４は、本発明に係わる表示器の側面図であり、図５は、本発明に係わる表示器の上端部分の要部側面図であり、図６は、本発明に係わるウエイトの説明図であり、図７は、本発明に係わる表示器の縮小時の収納状態から展開状態へ至る過程の使用形態を示す説明図であり、図８は、本発明の表示器の連結状態で構成するバリケードの説明図である。【００１３】  本発明は、遠方からの視認性を良好にするために、とりわけ大型の表示器として実施されるものであると共に、後述する通り、インフレータを使用することで、即時に組立てが可能な空気膨張式の表示器である。また本発明で開示する同一構造の表示器を連結することで、バリケードを構成するものである。【００１４】  図１に示される通り、本発明の表示器は、主として内部に空気を注入することにより膨脹可能な気室を備えると共に上端が頂部で且つ下端が設置面に対して水平な辺を有して立設される三角状筒体１と、該三角状筒体１と同様に膨脹可能な気室を備えると共に三角状筒体１の頂部の背面側に接続されて下端が設置面に対して水平な辺を有して立設される略Ｖ字状の支持筒体２から構成されている。【００１５】  前記夫々の筒体１．２は、布等の筒状の胴体の中に膨脹気室を構成する別体のチューブを内設して形成しても構わないが、より簡易的で低コストな構成では、筒体１．２自体が合成樹脂製のチューブであって良い。そして、夫々の筒体１．２は、独立または連続した気室として形成されるものであり、下端の底部には、安定的に立設されるための金属製のウエイトが設けられている。【００１６】  実施例に図示の表示器では、前記夫々の筒体１．２は別体で形成されると共に、該夫々の筒体１．２の一部に空気の導入口となり且つ弁体により封止可能な接続口を形成する。図示の例では、この接続口には、マニホールド６を介して同一の導入路でインフレータ７が接続されている。このインフレータ７は、紐材に連結されたボールバルブを引き抜くことで炭酸ガスを放出するボンベ等で形成され、使用時には、紐材を引っ張って膨脹させる。また、夫々の筒体１．２には、インフレータ７との接続口とは異なる給排口９が設け、インフレータ７を使用しない場合でも筒体１．２に対して空気を導入可能としたり、インフレータ７側からの空気の供給量が不足している場合に補給可能としている。【００１７】  上記の如く構成された各筒体１．２は、収納時には圧縮、縮小されており、前記インフレータ７を作動させると、図１や図４に示すように膨脹して表示器の外観を呈するようになる。そのため、前記三角状筒体１と略Ｖ字状の支持筒体の上端部は、図５に図示の如く、面ファスナ８を介して着脱自在に取付けることが可能に構成されている。【００１８】  また、本発明の表示器は、圧縮、縮小から膨脹される間に、前記三角状筒体１の胴部の空間部に前記支持筒体２が挟まることで、瞬時な膨脹を阻止するといった弊害をなくすために、網体４で閉塞されている。尚、���の網体４は、空気を流通させることで正面方向からの空気抵抗を下げるための構造であり、これにより、強風時でも本発明の表示器は安定して立設されることが可能である。【００１９】  また、本発明は、図１及び図２に図示の如く、前記三角状筒体１の胴部の正面には、三角形状の基布を備えた光学的表示部で被覆させている。これは、次の理由からである。即ち、一般に、三角状筒体１を一定の繊維構造をもつ布（合成繊維）から製造した場合には、その外観形状から三角状筒体１の両側の二辺の筒部においては、繊維方向が斜めに形成されてしまう。ことのため、空気を内部へ均等に導入したとしても繊維の性質によりこの部分にしなりを生じさせることから、表示に係わる光学的表示部１０を別体の布等で形成して面ファスナ等で表面に被覆したものであり、本発明では、更に、筒体１に直接被覆する部材１１と、該部材１１に積層して完全な三角形状で維持される部材１２とで構成している。【００２０】  尚、これらの部材の上からは、「事故」等のメッセージを示した表示帯５が取り付けられる。また、光学的表示部１０は、図２に図示の如く、蓄光材、反射材または視覚的に目立つ色彩で形成された基布と、該基布に対して取付られた電気的な発光体１３（実施例では、線光源としたＬＥＤ）で構成されている。【００２１】  図６に図示の如く、各筒体１．２の下面に取付けられるウエイト３は、専用袋等に鉄材等を収納して形成され、夫々の筒体１．２の垂直方向の所定幅の表面に対して面ファスナ８を介して取付けられる。これは、面ファスナにより着脱自在とすることで、とりわけ、組み立て時の筒体１．２の膨脹の邪魔にならず、且つ、膨脹の後には、より重量の有る適正なウエイトの取付が可能となるように、重力方向への負荷に耐えられる構造として取付面を工夫させたためである。【００２２】  また、本発明は、図７に図示の如く、前記夫々の構成部材を縮小状態で収納するショルダーバックの如き可搬型の袋体１５が設けられる。これにより、平常時には、本発明に係わる各構成部材を袋体１５に収納し、緊急時には袋体１５より取り出しだして使用することができる。尚、少なくとも重量を有するインフレータ６を袋体１５に固定することで、袋体１５自体もウエイトとして機能させることが可能である。【００２３】  図８は、本発明の表示器の他の実施形態を示している。この例では、前記三角状筒体１の頂部には、面ファスナ等からなる連結部１６が形成される。そして、該連結部１６間を帯状体１７で連結して、複数器を組としてバリケードが構成される。【００２４】  尚、本発明の筒体１．２を独立して使用する場合には、浮袋として使用することも可能である。とりわけ、図９に図示の如く、三角形状の筒体１の場合は、網体４を設けないか、または、着脱自在に形成することで、略ドーナツ型の一般的な浮袋と同様に使用することができ、河川や海での事故の際に、本器を応用することが可能である。
【発明の効果】
【００２５】  本発明は、平時には袋体に収納して車両等の所定の場所に保管し、緊急時には、これを持ち出してインフレータを作動するだけの簡単な操作で、表示器を組み立てることが可能である。また、本発明の表示器は、複数器を連結することで極めて簡単な作業でバリケードを設置することができるものであり、全体的に軟質で且つ空気を利用して緩衝性に優れていることから、一般道で使用する場合にも安全で配置設計に柔軟なバリケードとして機能する。このようにして設置された表示器は、発光機能を用いることにより視認性を上げることができるが、これを使用せずとも大型構造として実施できるので、従来の小型表示器と比較して格段の視覚的効果が優れているだけでなく、低コストでこれらを実現できる画期的な発明である。更に、本発明の表示器は独立した筒体が浮袋と同様の救命具として使用できる等の応用性にも優れている。
【図面の簡単な説明】
【００２６】
【図１】本発明に係わる表示器の使用状態の正面図である。
【図２】本発明に係わる光学的表示部の形態を示す説明図である。
【図３】本発明に係わる表示器の上端部分の要部正面図である。
【図４】本発明に係わる表示器の側面図である。
【図５】本発明に係わる表示器の上端部分の要部側面図である。
【図６】本発明に係わるウエイトの説明図である。
【図７】本発明に係わる表示器の縮小時の収納状態から展開状態へ至る過程の使用形態を示す説明図である。
【図８】本発明の表示器の連結状態で構成するバリケードの説明図である。
【図９】本発明の三角状筒体を表す説明図である。
【符号の説明】
【００２７】１  三角状筒体
２  支持筒体
３  ウエイト
４  網体
５  表示帯
６  マニホールド
７  インフレータ
８  面ファスナ
９  給排口
１０  光学的表示部
１１  部材
１２  部材
１３  発光体
１５  袋体
１６  連結部
１７  帯状体
【図１】
2008101447.tif 000003
【図２】
2008101447.tif 000004
【図３】
2008101447.tif 000005
【図４】
2008101447.tif 000006
【図５】
2008101447.tif 000007
【図６】
2008101447.tif 000008
【図７】
2008101447.tif 000009
【図８】
2008101447.tif 000010
【図９】
2008101447.tif 000011